(57)【要約】【課題】  長期間使用しても、合成樹脂製の部品やボルトなどの構成部材が破損し難い野球バットを提供する。【解決手段】  本発明の野球バットＡ１は、合成樹脂製の部品１と、部品１の一部分に形成され且つ部品１の第１面１ａから第２面１ｂに貫通する貫通孔８と、部品１の第１面１ａ側に配置され且つ貫通孔８に連通する穴部４１を有する第１座金部材４と、貫通孔８内に挿入された筒状部材５と、部品１の第２面１ｂ側に配置され且つ貫通孔８に連通する穴部６１を有する第２座金部材６と、第１座金部材４、筒状部材５及び第２座金部材６に挿通され且つネジ部３３が第２座金部材６から突出されたボルト３と、ボルト３のネジ部３３に取り付けられたナット７と、を有する。【選択図】  図８
2019093011.tif 000002
【特許請求の範囲】
【請求項１】
合成樹脂製の部品と、
前記部品の一部分に形成され且つ前記部品の第１面から第２面に貫通する貫通孔と、
前記部品の第１面側に配置され且つ前記貫通孔に連通する穴部を有する第１座金部材と、
前記貫通孔内に挿入された筒状部材と、
前記部品の第２面側に配置され且つ前記貫通孔に連通する穴部を有する第２座金部材と、
前記第１座金部材、筒状部材及び第２座金部材に挿通され且つネジ部が前記第２座金部材から突出されたボルトと、
前記ボルトのネジ部に取り付けられたナットと、
を有するスポーツ用品。
【請求項２】
前記筒状部材の長さが、前記部品の貫通孔の長さよりも小さい、請求項１に記載のスポーツ用品。
【請求項３】
前記部品が、ボルト及びナットの緊結によって圧縮変形されている、請求項１または２に記載のスポーツ用品。
【請求項４】
前記部品が、バット本体の端部に取り付けられている、請求項１乃至３のいずれか一項に記載のスポーツ用品。
【請求項５】
前記部品が、弾性変形可能であって、１００ＭＰａ〜４００ＭＰａの弾性率を有する、請求項１乃至４のいずれか一項に記載のスポーツ用品。
【発明の詳細な説明】
【技術分野】
【０００１】
本発明は、野球用又はソフトボール用バットなどのスポーツ用品に関する。
【背景技術】
【０００２】
スポーツ用品のうち、例えば、野球用又はソフトボール用バット（以下、野球バットという）の設計においては、長さだけでなく重量や重心位置なども重要な要素となる。重量は各種の団体毎に規定があるため設計の自由度が低く、そのため、振り易さの指標となる慣性モーメントを考慮して、野球バットの重心位置（野球バットのバランス）を設計している。
特許文献１には、プラスチック部品に質量体がネジ固定又は埋め込み成形された先端部部品が取り付けられた野球バットが開示されている。
特許文献２には、先端部に設けられた調整ネジ取付孔に、重量調整ネジが取り付けられた野球バットが開示されている。
これらに開示の野球バットは、先端部にネジ固定又は埋め込んだ質量体によってバランスを設定したものである。
【先行技術文献】
【特許文献】
【０００３】
【特許文献１】特開２００２−０４５４５３号公報
【特許文献２】実開昭５３−１１１８７１号公報
【発明の概要】
【０００４】
しかしながら、本発明者らの研究によれば、上記特許文献に記載のような、質量体をプラスチック製部品にネジ固定又は埋め込んだ野球バットは、長期間使用しているうちに、プラスチック製部品の摩耗或いはネジの軸部の破損により、質量体が脱落することがあることが判ってきた。
【発明が解決しようとする課題】
【０００５】
本発明の目的は、長期間使用しても、合成樹脂製の部品やボルトなどの構成部材が破損し難いスポーツ用品を提供することである。
【課題を解決するための手段】
【０００６】
本発明のスポーツ用品は合成樹脂製の部品と、前記部品の一部分に形成され且つ前記部品の第１面から第２面に貫通する貫通孔と、前記部品の第１面側に配置され且つ前記貫通孔に連通する穴部を有する第１座金部材と、前記貫通孔内に挿入された筒状部材と、前記部品の第２面側に配置され且つ前記貫通孔に連通する穴部を有する第２座金部材と、前記第１座金部材、筒状部材及び第２座金部材に挿通され且つネジ部が前記第２座金部材から突出されたボルトと、前記ボルトのネジ部に取り付けられたナットと、を有する。
【０００７】
本発明の好ましいスポーツ用品は、前記筒状部材の長さが、前記部品の貫通孔の長さよりも小さい。
本発明の好ましいスポーツ用品は、前記部品が、ボルト及びナットの緊結によって圧縮変形されている。
本発明の好ましいスポーツ用品は、前記部品が、バット本体の端部に取り付けられている。
本発明の好ましいスポーツ用品は、前記部品が、弾性変形可能であって、１００ＭＰａ〜４００ＭＰａの弾性率を有する。
【発明の効果】
【０００８】
本発明のスポーツ用品は、長期間使用しても、合成樹脂製の部品やボルトなどの構成部材が破損し難く、耐久性に優れている。特に、大きな衝撃が加わるようなスポーツでも、長期間使用できる。
【図面の簡単な説明】
【０００９】
【図１】第１実施形態に係る締結部材が取り付けられた合成樹脂製の部品の斜視図。
【図２】図１のＩＩ−ＩＩ線で切断した縦断面図。
【図３】図２の一部分を拡大した拡大縦断面図。
【図４】締結部材の分解斜視図。
【図５】図２に示す状態から、ボルトに対してナットを緊結した状態を示す縦断面図。
【図６】図５の一部分を拡大した拡大縦断面図。
【図７】第１実施形態に係る野球バット（スポーツ用品）の正面図。
【図８】同野球バットの一部拡大図であって、右半分を縦断面で示す一部拡大正面図。
【図９】第２実施形態に係るスポーツ用防具（スポーツ用品）の一部拡大図を含む側面図。
【図１０】図９のＸ−Ｘ線で切断した縦断面図。
【図１１】第２実施形態の締結部材の分解斜視図。
【図１２】ボルトに対してナットを緊結する前の状態を示す縦断面図。
【図１３】（ａ）は、実施例で使用した締結部材付き部品の縦断面図、（ｂ）は、参考例で使用した締結部材付き部品の縦断面図。
【発明を実施するための形態】
【００１０】
以下、本発明について図面を参照しつつ説明する。
本明細書において、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
【００１１】
［第１実施形態］
本実施形態は、締結部材を、スポーツ用品の質量体として利用する態様に関する。
図１乃至図３は、スポーツ用品の一部分を成す合成樹脂製の部品１と、前記部品１に取り付けられた締結部材２と、を示す。
本実施形態の合成樹脂製の部品１は、例えば、野球バットなどの球技用品を構成する一つの部品である。例えば、前記合成樹脂製の部品１は、野球バットの端部を成す部品である。
この合成樹脂製の部品１には、締結部材２が取り付けられている。
図４も参照して、締結部材２は、ボルト３と、第１座金部材４と、筒状部材５と、第２座金部材６と、ナット７と、を有する。
【００１２】
具体的には、合成樹脂製の部品１には、締結部材２を取り付けるための貫通孔８が形成されている。貫通孔８は、前記部品１の一部分に形成され、部品１の第１面１ａから第２面１ｂに貫通されている。貫通孔８の横断面形状は、特に限定されず、通常、円形状であるが、正方形状などの他の形状に形成されていてもよい。なお、本明細書において、横断面形状は、軸芯方向に対して直交する方向で切断した形状をいう。貫通孔８は、後述する筒状部材５を挿入可能な大きさに形成されている。
部品１の貫通孔８の周辺領域に締結部材２が取り付けられる。なお、貫通孔８の周辺領域は、部品１の一部分であって締結部材２が取り付けられる領域をいう。具体的には、貫通孔８の周辺領域は、締結部材２を部品１に取り付けた際に、貫通孔８を中心とし且つ第１座金部材４及び第２座金部材６が接する領域をいう。また、図３を参照して、貫通孔８の周辺領域の厚みＴ１は、第１座金部材４に接する第１面１ａと第２座金部材６に接する第２面１ｂとの間の長さ（第１面１ａと第２面１ｂの軸芯方向における間隔）をいう。以下、貫通孔８の周辺領域を「貫通周辺領域」という。
前記貫通周辺領域の厚みＴ１は、特に限定されないが、余りに小さいと、衝撃によって貫通周辺領域が破損するおそれがあることから、３ｍｍ以上が好ましく、４ｍｍ以上がより好ましく、５ｍｍ以上がさらに好ましい。貫通周辺領域の厚みＴ１の上限は特にないが、現実的には、３０ｍｍ以下であり、好ましくは２５ｍｍ以下である。
【００１３】
前記部品１は、例えば、バット本体などの用品本体の端部に取り付けられる。部品１の外形状は、バット本体などの用品本体の端部に取り付け可能な形状に形成されている。
例えば、部品１は、バット本体の端部から露出される主部１１と、バット本体内に埋め込まれる副部１２と、を有し、前記主部１１と副部１２の間に設けられ且つバット本体に係止される凹状の係止部１３をさらに有する。
前記貫通孔８は、主部１１から副部１２にかけて貫通形成されている。
【００１４】
部品１の形成材料は、合成樹脂及び必要に応じて添加される公知の添加剤からなる。部品１の形成材料の主成分樹脂は、特に限定されず、従来公知のものを用いることができ、例えば、ポリエチレンテレフタレート、共重合ポリエステル、ポリブチレンテレフタレート、熱可塑性ポリウレタン、ポリカーボネート、ポリイミド、ポリフェニルサルフォン、ポリフェニレンスルフィド、ポリエーテルイミド、ポリエーテルエーテルケトン、ポリエーテルサルフォン、ポリフェニレンオキシド、ポリサルフォン、ポリエーテルケトン、半芳香族ポリアミド、芳香族ポリアミド、熱可塑性ポリアミドイミドなどの熱可塑性樹脂；フェノキシ樹脂、ブチラール樹脂、ポリビニルホルマール、熱硬化ポリウレタン、熱硬化アクリル、エポキシ樹脂、熱硬化ポリエステル、熱硬化ポリエステルイミド、熱硬化ポリエステルアミドイミド、熱硬化ポリアミドイミドなどの熱硬化性樹脂；などが挙げられる。前記熱可塑性樹脂に、エポキシ樹脂、メラミン樹脂、フェノール樹脂、イソシアネートなどの熱反応性硬化剤を架橋させた一部熱硬化型の樹脂を主成分樹脂として使用してもよい。また、炭素繊維などの強化短繊維を添加した合成樹脂を用いてもよい。
中でも、耐衝撃性に優れ、さらに、バット本体などの被着体に接着剤を用いて取り付ける場合には高い接着強度を発揮することから、主成分樹脂として熱可塑性ポリウレタン樹脂を用いることが好ましい。
前記主成分樹脂は、部品の形成材料に含まれる樹脂成分の中で最も多い成分（重量比）をいう。
部品１の形成方法は、特に限定されず、従来公知の射出成形法、圧縮成形法などを用いることができる。
【００１５】
前記部品１は、弾性変形可能な弾性体又は塑性変形可能な塑性体からなることが好ましく、弾性変形可能な弾性体からなることがより好ましい。前記例示したような合成樹脂を用いることにより、弾性体又は塑性体から形成された部品１を形成できる。
部品１の弾性率は、特に限定されない。バット本体などの用品本体に装着し易く且つ使用中に用品本体から不用意に外れ難いことから、部品１は、弾性率が１００ＭＰａ〜４００ＭＰａであることが好ましく、さらに、２００ＭＰａ〜３００ＭＰａであることがより好ましい。
ただし、前記弾性率は、ＪＩＳ  Ｋ  ７１７１（２０１６年）の曲げ弾性率に準じて、温度２３±２℃、相対湿度５０±５％の条件下で測定されたものをいう。
前記好ましい範囲の弾性率を有する部品１は、前記合成樹脂やそれに加える添加剤を適宜設定することによって得られる。
【００１６】
ボルト３は、軸部３１と、軸部３１の一方の端部に設けられ且つ軸部３１よりも径大な頭部３２と、を有し、軸部３１の少なくとも先端側にはネジ部３３が形成されている。なお、ネジ部３３は、軸部３１の全体に形成されていてもよい。
軸部３１の横断面形状は円形状である。軸部３１の直径は、特に限定されない。余りに小さいと軸部３１が折れるおそれがあることから、例えば、軸部３１の外径（直径）は、４ｍｍ以上が好ましく、５ｍｍ以上がより好ましい。軸部３１の外径の上限は、特にないが、現実的な数値では、１２ｍｍ以下である。軸部３１の長さは、貫通孔８に挿通した際に、先端側のネジ部３３が覗き出ればよく、例えば、８ｍｍ以上であり、好ましくは１０ｍｍ以上である。
頭部３２は、軸芯方向から見て、例えば、正六角形状に形成されている。もっとも、頭部３２の形状は、これに限られず、他の多角形状でもよく、或いは円形状でもよい。円形状の頭部３２の場合、締結部材２を締め付ける際に頭部３２を固定するために、ドライバーなどを係合させるマイナス（−）又はプラス（＋）などの溝が形成される。
【００１７】
第１座金部材４は、前記部品１の第１面１ａ側に配置され、部品１の第１面１ａとボルト３の頭部３２との間に介在する部材である。第２座金部材６は、前記部品１の第２面１ｂ側に配置され、部品１の第２面１ｂとナット７との間に介在する部材である。
第１座金部材４及び第２座金部材６の外形は、特に限定されず、図示のような円形状の他、四角形状などであってもよい。
【００１８】
第１座金部材４及び第２座金部材６は、それぞれ、前記部品１の貫通孔８に連通する穴部４１，６１を有する板状に形成されている。第１座金部材４の穴部４１及び第２座金部材６の穴部６１の形状（軸芯方向から見た形状）は、特に限定されず、通常、円形状であるが、それぞれ独立して、正方形状などの他の形状に形成されていてもよい。
第１座金部材４の穴部４１及び第２座金部材６の穴部６１の大きさは、ボルト３の軸部３１が挿通可能な大きさで且つ頭部３２よりも小さければ特に限定されないが、余りに大きいと、穴部４１，６１の軸芯がボルト３の軸芯から大きく位置ずれするおそれがある。この点を考慮すると、第１座金部材４の穴部４１及び第２座金部材６の穴部６１の内径（直径）は、それぞれ独立して、ボルト３の軸部３１の外径を超え且つボルト３の軸部３１の外径＋１ｍｍ以下が好ましく、軸部３１の外径＋０．１ｍｍ〜軸部３１の外径＋０．５ｍｍがより好ましい。
第１座金部材４及び第２座金部材６の肉厚は、特に限定されないが、余りに小さいと、変形するおそれがある。かかる観点から、第１座金部材４及び第２座金部材６の肉厚は、それぞれ独立して、０．５ｍｍ〜５ｍｍが好ましく、１ｍｍ〜４．５ｍｍがより好ましい。
【００１９】
筒状部材５は、部品１の貫通孔８内に挿入される部材である。
筒状部材５は、通常、円筒状（内周面及び外周面の横断面形状が円形状）であるが、四角筒状などに形成されていてもよい。
筒状部材５を貫通孔８に挿入した際には、筒状部材５の孔５１の軸芯と貫通孔８の軸芯は一致することが好ましい。
筒状部材５は、それを貫通孔８に挿入した際に、筒状部材５の外周面が貫通孔８の内周面に当接するような大きさに形成されていてもよく、或いは、外周面が貫通孔８の内周面から少し隙間を生じるような大きさに形成されていてもよい。ボルト３及びナット７を緊結した際の部品１の変形を考慮して、筒状部材５の外径は、貫通孔８の内径よりも小さいことが好ましく、例えば、筒状部材５の外径は、貫通孔８の内径−１ｍｍを超え且つ貫通孔８の内径未満であり、好ましくは、貫通孔８の内径−０．５ｍｍ〜貫通孔８の内径−０．０１ｍｍである。
また、筒状部材５の内径は、ボルト３の軸部３１を挿通できる大きさに形成されていればよく、例えば、ボルト３の軸部３１の外径＋０．０１ｍｍ〜軸部３１の外径＋０．５ｍｍである。
【００２０】
筒状部材５の長さは、貫通周辺領域の厚み以下であれば特に限定されない。ボルト３及びナット７を緊結した際の部品１の変形を考慮して、筒状部材５の長さＴ２は、貫通周辺領域の厚みＴ１よりも小さいことが好ましく、例えば、筒状部材５の長さＴ２は、貫通周辺領域の厚みＴ１未満であり、好ましくは、貫通周辺領域の厚みＴ１−０．０１ｍｍ以下であり、より好ましくは、貫通周辺領域の厚みＴ１−０．０２ｍｍ以下である。また、筒状部材５の長さＴ２が余りに小さいと、筒状部材５を貫通孔８に挿入することが無意義になることから、筒状部材５の長さＴ２は、貫通周辺領域の厚みＴ１−５ｍｍ以上であることが好ましく、貫通周辺領域の厚みＴ１−３ｍｍ以上であることがより好ましい。
【００２１】
ナット７は、ボルト３の軸部３１のネジ部３３に螺合され、ボルト３を部品１に固定するための部材である。
ナット７は、従来公知のものを用いることができるが、衝撃によって緩み難いナット、いわゆる緩み止めナットを用いることが好ましい。緩み止めナットは、様々なものが知られている。緩み止めナットは、市販品を用いることができ、例えば、大阪フォーミング（株）製の緩み止めナット（商品名「Ｅ−ＬＯＣＫシリーズ」など）などが挙げられる。
【００２２】
前記ボルト３、第１座金部材４、筒状部材５、第２座金部材６及びナット７の材質は、特に限定されないが、それらは、通常、金属にて形成される。金属としては、従来公知のものを用いることができ、例えば、鉄、ステンレス、各種の合金などが挙げられる。本実施形態のように、ボルト３を含む締結部材２を質量体として利用する場合には、タングステンや鉛などの比較的比重の大きい重金属を含む合金を用いてボルト３を形成してもよい。
なお、締結部材２を構成するボルト３、第１座金部材４、筒状部材５、第２座金部材６及びナット７の中で、ボルト３が最も重量が大きく、締結部材２を質量体として用いる場合には、ボルト３が質量体の主要部となる。
【００２３】
図２及び図３に示すように、部品１の貫通孔８に筒状部材５を挿入し、部品１の貫通周辺領域の第１面１ａに第１座金部材４を配置し且つ第２面１ｂに第２座金部材６を配置し、第１座金部材４、筒状部材５及び第２座金部材６に亘ってボルト３の軸部３１を挿通し、ボルト３の軸部３１のネジ部３３にナット７を螺合する。
次に、ナット７を締め付けていくことにより、図５及び図６に示すように、ボルト３に対してナット７が緊結される。ナット７の緊結により、第１座金部材４及び第２座金部材６が部品１の貫通周辺領域を軸芯方向に互いに押圧する。このため、前記貫通周辺領域が圧縮され、貫通周辺領域の厚みが縮小すると共に貫通孔８が縮径して変形し、筒状部材５の外周面に貫通孔８の内周面が圧着される。特に、筒状部材５の長さＴ２を設定することにより、第１座金部材４及び第２座金部材６が筒状部材５の上端面及び下端面に接したときに、ナットの締め付けが停止し、貫通周辺領域が適度に圧縮される。
【００２４】
本実施形態の締結部材２を有する部品１は、例えば、図７及び図８に示すように、グリップ部９２を有するバット本体９１の先端部に取り付けられる。
すなわち、野球バットＡ１は、グリップ部９２を有するバット本体９１と、バット本体９１の先端部に取り付けられた部品１と、を有する。バット本体９１は、金属製である（いわゆる金属バット）。
この部品１には、上述のように、ボルト３、第１座金部材４、筒状部材５、第２座金部材６及びナット７から構成される締結部材２が取り付けられており、ボルト３及びナット７の緊結による第１座金部材４及び第２座金部材６によって、部品１の貫通周辺領域は、圧縮変形されている。
バット本体９１の端部には、部品１に係合する係合部９３が形成されている。部品１の係止部１３が凹状に形成されている場合には、バット本体９１に凸状の係合部９３が形成される。
締結部材２を有する部品１は、その副部１２をバット本体９１内に埋め込みつつ係止部１３を係合部９３に凹凸嵌合させることによって、バット本体９１の先端部に取り付けられている。
なお、バット本体９１に対する部品１の取り付け方法は、これに限定されず、例えば、部品に凸状の係止部を形成し且つバット本体に凹状の係合部を形成して凹凸嵌合させてもよく、或いは、接着剤などを用いて固定してもよい（図示せず）。
【００２５】
本実施形態の締結部材２（特にボルト３）は、スポーツ用品である野球バットＡ１の質量体として機能する。長さ及び／又は重さが所望に設定されたボルト３を部品１に取り付けることにより、野球バットＡ１のバランスを調整できる。これに加えて又はこれに代えて、肉厚が所望に設定された第１座金部材４及び／又は第２座金部材６を用いることにより、貫通孔８の軸芯方向にボルト３の重心位置を移動させることができ、野球バットＡ１のバランスを調整できる。さらに、これに加えて又はこれに代えて、重さが所望に設定された第１座金部材４、第２座金部材６、筒状部材５及び／又はナット７を部品１に取り付けることにより、野球バットＡ１のバランスを調整できる。
【００２６】
本発明の野球バットＡ１は、長期間使用しても、合成樹脂製の部品１などの構成部材が破損し難く、ボルト３などが脱落し難い。
一般に、野球バットには大きな衝撃が加わり、従来の野球バットのような質量体の取り付け方法では比較的早期に合成樹脂製の部品の破損及び質量体の脱落などの問題が生じる。この点、本発明のように、合成樹脂製の部品１に、上記ボルト３、第１座金部材４、筒状部材５、第２座金部材６、及びナット７から構成される締結部材２を取り付けることにより、部品１の破損やボルト３などの締結部材２の脱落を効果的に防止できる。
【００２７】
この効果を奏する作用は、明らかではないが、本発明者らは、次のように推定している。すなわち、一般に、野球バットにてボール（特に、硬式球）を打撃した際、バット本体から部品に衝撃が伝わる。従来の野球バットのように、金属製のボルト（質量体）を樹脂製の部品にネジ固定した構造では、振動によってボルトが微振動することにより、ボルトと部品の硬度差に従い、部品の貫通孔の内周面や貫通孔の周辺領域がボルトによって損傷を受け、引いては、部品の破損やボルトの脱落を生じる。
この点、本発明においては、部品１の貫通孔８に筒状部材５が挿入されているので、ボルト３の軸部３１が貫通孔８の内周面に直接接触せず、微振動するボルト３の軸部３１によって部品１の貫通孔８の内周面が損傷を受け難くなる。さらに、貫通周辺領域の第１面１ａとボルト３の頭部３２との間に第１座金部材４が介在され且つ貫通周辺領域の第２面１ｂとナット７との間に第２座金部材６が介在されているので、微振動するボルト３の頭部３２やナット７によって部品１の貫通周辺領域が損傷を受け難くなる。これら筒状部材５、第１座金部材４及び第２座金部材６は、互いに独立しているので、互いに影響を与えずにそれぞれ微振動することができ、締結部材２そのものも破損し難く、これにより、部品１の破損及びボルト３などの締結部材２の脱落を防止できる。なお、ボルト３は最も重量が大きいので、衝撃時の微振動による周囲へ与える影響も大きいが、上述のように、本発明によれば部品１などの破損を効果的に防止できる。
また、筒状部材５の長さＴ２が貫通周辺領域の厚みＴ１よりも小さい場合には、締結部材２を緊結した際に、部品１の貫通周辺領域が圧縮変形し、筒状部材５が部品１の貫通孔８の内周面と一体化する。特に、筒状部材５の外径が貫通孔８の内径−１ｍｍを超え且つ貫通孔８の内径未満であることにより、圧縮変形した貫通周辺領域が筒状部材５の外周面に過度に圧着されることがなく、筒状部材５と貫通孔８の内周面とが適度に一体化する。このため、ボルト３の軸部３１が微振動しても、筒状部材５によって部品１の貫通孔８の内周面が保護される。
【００２８】
本実施形態の野球バットＡ１において、締結部材２を有する部品１はバット本体９１の先端部に取り付けられているが、この部品１をバット本体９１の後端部（グリップ部９２）に取り付けてもよい（図示せず）。
また、締結部材２を質量体として用いる本実施形態において、締結部材２を有する部品１を、野球バット以外のスポーツ用品の部品１として組み込むこともできる。
例えば、締結部材２を有する部品１を、野球バット以外の球技用品に組み込まれる部品として用いてもよい。野球バット以外の球技用品としては、代表的には、使用時にスイングして球を打撃する球技が挙げられ、例えば、ゴルフ用クラブやホッケー用クラブなどの各種のクラブ類、テニスなどの各種ラケット類などが挙げられる。
【００２９】
［第２実施形態］
以下、本発明の第２実施形態を説明するが、その説明に於いては、主として上述の実施形態と異なる構成及び効果について説明し、同様の構成などについては、用語又は符号をそのまま援用し、その構成の説明を省略する場合がある。
【００３０】
本実施形態の締結部材は、合成樹脂製の部品に、他の部材を連結する連結具として利用する態様に関する。
図９及び図１０は、本発明の締結部材２を有する部品１が取り付けられたスポーツ用防具Ａ２を示す。
スポーツ用防具Ａ２は、締結部材２を有する部品１と、前記締結部材２によって部品１に連結されたフェイスマスク９５と、を有する。図示例では、アメリカンフットボール用のヘッド防具を例示している。
部品１は、上記第１実施形態と同様に、合成樹脂から形成されている。本実施形態では、部品１は、防具の筺体（ヘルメット部）に適合した形状に形成されている。
この部品１には、貫通孔８が形成され、その貫通孔８に上記第１実施形態と同様に、締結部材２が取り付けられている。
図１０に示すように、部品１の第２面１ｂ側には、凹み部１９が形成されており、ボルト３の先端部が前記凹み部１９内に収まるようになっている。
図１１も参照して、本実施形態では、第１座金部材４には、フェイスマスク９５の一部分に取り付けられる取付け部４２が形成されている。例えば、取付け部４２は、フェイスマスク９５の一部分を挟むように、断面視ヘヤピン状に形成されている。
また、ボルト３の頭部３２は、軸芯方向から見て円形状に形成され、プラス（＋）の溝が形成されている。
【００３１】
なお、本実施形態の部品１の貫通周辺領域の厚みＴ１は、上記第１実施形態よりも小さく、例えば、２ｍｍ〜４ｍｍとすることが好ましい。また、締結部材２を部材連結用の連結具として使用する本実施形態においては、ボルト３、第１座金部材４、筒状部材５、第２座金部材６及びナット７は、上記第１実施形態よりもそれぞれ小さいものが用いられ、軸部３１の外径が小さいボルト３を用いることに対応して、貫通孔８の内径及び筒状部材５の内径もそれに応じて小さくされる。
【００３２】
図１２に示すように、部品１の貫通孔８に筒状部材５を挿入し、フェイスマスク９５の一部分に係止させた第１座金部材４を、前記部品１の貫通周辺領域の第１面１ａに配置し且つ第２面１ｂに第２座金部材６を配置し、第１座金部材４、筒状部材５及び第２座金部材６に亘ってボルト３の軸部３１を挿通し、ボルト３の軸部３１のネジ部３３にナット７を螺合する。
さらに、第１実施形態と同様に、ボルト３に対してナット７を緊結することにより、図１０に示すように、第１座金部材４及び第２座金部材６によって部品１の貫通周辺領域が圧縮変形し、貫通周辺領域の厚みが縮小すると共に筒状部材５の外周面に貫通孔８の内周面が圧着される。同時に、第１座金部材４を介してフェイスマスク９５が部品１に固定的に連結される。
【００３３】
本発明のスポーツ用防具Ａ２は、長期間使用しても、合成樹脂製の部品１などの構成部材が破損し難い。
一般に、スポーツ用防具、特に、アメリカンフットボール用のヘッド防具は、大きな衝撃を受ける。本発明のように、合成樹脂製の部品１（筺体）に、上記ボルト３、第１座金部材４、筒状部材５、第２座金部材６、及びナット７から構成される締結部材２を取り付けることにより、部品１の破損を効果的に防止でき、フェイスマスク９５が脱落し難いスポーツ用防具Ａ２を提供できる。
【００３４】
本実施形態のスポーツ用防具Ａ２において、アメリカンフットボール用のヘッド防具を例示したが、これに限られず、野球用などの球技用のマスク防具、剣道用のマスク防具などに適用することもできる。
【実施例】
【００３５】
以下、本発明の実施例を示し、本発明をさらに詳述する。ただし、本発明は、下記実施例に限定されるわけではない。
【００３６】
［実施例］
＜部品の作製＞
熱可塑性ポリウレタン樹脂を主成分とする樹脂組成物（ＢＡＳＦ社製の商品名「エラストランシリーズ」）を、２００度に加熱しつつ射出成形することによって、図１乃至図３に示すような形状の野球バット先端用の部品（ヘッドキャップ）を作製した。
この合成樹脂製の部品の貫通孔は、横断面形状が円形状で、その内径は、７．８ｍｍで、その貫通周辺領域の厚み（図３の符号Ｔ１）は、７．５ｍｍであった。
【００３７】
＜締結部材＞
図４に示すような、ボルト、第１座金部材、筒状部材、第２座金部材及びナットからなる締結部材（大阪フォーミング（株）製）を準備した。
ボルトは、軸部の長さが、１０．５ｍｍのＭ６ボルトを使用した。第１座金部材及び第２座金部材は、いずれも外形及び穴部が円形状で、図１３（ａ）に示す寸法のものを使用した。筒状部材は、円筒状で、図１３（ａ）に示す寸法のものを使用した。ナットは、前記Ｍ６のボルトに対応するナットであって、いわゆる緩み止めナット（大阪フォーミング（株）製、商品名「Ｅ−ＬＯＣＫ（登録商標）  ＥＬＨシリーズ」）を使用した。
ボルト、第１座金部材、筒状部材、第２座金部材及びナットは、いずれも、ＳＵＳ３０３製であった。また、ボルトの重量は、約４．７ｇであった。
なお、図１３（ａ）に示す各部材の寸法の単位は、ｍｍである。
【００３８】
前記部品の貫通孔に、第１座金部材、筒状部材、第２座金部材及びナットからなる締結部材を装着した後、ボルトに対してナットを締め付けることにより、図５及び図６に示すように、ボルト及びナットにて緊結された締結部材を有する部品を作製した。
市販の野球バット（（株）アシックス製、商品名「Ｓｐｅｅｄ  ＡＸＥＬ  Ｄｒｉｖｅシリーズ」）のヘッドキャップを取り外し、前記ボルト及びナットを緊結した部品を装着することにより、試験バットを作製した。
前記試験バットのグリップ部を実打試験機のチャックに保持し、室温（２５℃）、大気圧下で、試験バットの先端から２０ｍｍの位置に、全国高校野球選手権公式球と同規格の硬式球（衝突時の速度５０〜５５ｍ／秒）を当てる試験を繰り返し行った。硬式球は、１０秒間隔で連続的に当てた。
その結果、１０００球当てた後、試験バットから部品を取り外して確認したところ、部品及び締結部材ともに、破損箇所は全く見つからなかった。
【００３９】
［参考例］
図１３（ｂ）に示すように、上記実施例で使用した第１座金部材と筒状部材を一体的に形成したもの（この一体化物を構成する２つの部材の寸法は実施例と変わらず、それらが継ぎ目などを有さずに一体的に金属成形されている点のみが異なっている）を使用したこと以外は、実施例と同様にして試験を行った。
その結果、１００球辺りで衝撃音が変わったので、その部品を取り外して確認したところ、部品が破損し、締結部材が脱落しかけていた。
【符号の説明】
【００４０】
１  合成樹脂製の部品
１ａ  部品の第１面
１ｂ  部品の第２面
２  締結部材
３  ボルト
４  第１座金部材
５  筒状部材
６  第２座金部材
７  ナット
８  部品の貫通孔
９１  バット本体
Ａ１  野球バット（スポーツ用品）
【図１】
2019093011.tif 000003
【図２】
2019093011.tif 000004
【図３】
2019093011.tif 000005
【図４】
2019093011.tif 000006
【図５】
2019093011.tif 000007
【図６】
2019093011.tif 000008
【図７】
2019093011.tif 000009
【図８】
2019093011.tif 000010
【図９】
2019093011.tif 000011
【図１０】
2019093011.tif 000012
【図１１】
2019093011.tif 000013
【図１２】
2019093011.tif 000014
【図１３】
2019093011.tif 000015
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
合成樹脂製の部品と、
前記部品の一部分に形成され且つ前記部品の第１面から第２面に貫通する貫通孔と、
前記部品の第１面側に配置され且つ前記貫通孔に連通する穴部を有する第１座金部材と、
前記貫通孔内に挿入された筒状部材と、
前記部品の第２面側に配置され且つ前記貫通孔に連通する穴部を有する第２座金部材と、
前記第１座金部材、筒状部材及び第２座金部材に挿通され且つネジ部が前記第２座金部材から突出されたボルトと、
前記ボルトのネジ部に取り付けられたナットと、を有し、
前記ナットが、緩み止めナットである、スポーツ用品。
【請求項２】
合成樹脂製の部品と、
前記部品の一部分に形成され且つ前記部品の第１面から第２面に貫通する貫通孔と、
前記部品の第１面側に配置され且つ前記貫通孔に連通する穴部を有する第１座金部材と、
前記貫通孔内に挿入された筒状部材と、
前記部品の第２面側に配置され且つ前記貫通孔に連通する穴部を有する第２座金部材と、
前記第１座金部材、筒状部材及び第２座金部材に挿通され且つネジ部が前記第２座金部材から突出されたボルトと、
前記ボルトのネジ部に取り付けられたナットと、を有し、
前記筒状部材の外径が、前記貫通孔の内径−１ｍｍを超え且つ前記貫通孔の内径未満であり、
前記筒状部材の長さが、前記貫通孔の周辺領域の厚み−５ｍｍ以上且つ前記貫通孔の周辺領域の厚み−０．０１ｍｍ以下である、スポーツ用品。
【請求項３】
合成樹脂製の部品と、
前記部品の一部分に形成され且つ前記部品の第１面から第２面に貫通する貫通孔と、
前記部品の第１面側に配置され且つ前記貫通孔に連通する穴部を有する第１座金部材と、
前記貫通孔内に挿入された筒状部材と、
前記部品の第２面側に配置され且つ前記貫通孔に連通する穴部を有する第２座金部材と、
前記第１座金部材、筒状部材及び第２座金部材に挿通され且つネジ部が前記第２座金部材から突出されたボルトと、
前記ボルトのネジ部に取り付けられたナットと、を有し、
前記部品が、バット本体の端部に取り付けられている、スポーツ用品。
【請求項４】
合成樹脂製の部品と、
前記部品の一部分に形成され且つ前記部品の第１面から第２面に貫通する貫通孔と、
前記部品の第１面側に配置され且つ前記貫通孔に連通する穴部を有する第１座金部材と、
前記貫通孔内に挿入された筒状部材と、
前記部品の第２面側に配置され且つ前記貫通孔に連通する穴部を有する第２座金部材と、
前記第１座金部材、筒状部材及び第２座金部材に挿通され且つネジ部が前記第２座金部材から突出されたボルトと、
前記ボルトのネジ部に取り付けられたナットと、を有し、
前記部品が、スポーツ用防具の筺体の形状に形成され、前記ボルト及びナットの緊結によってフェイスマスクが前記部品に取り付けられている、スポーツ用品。
【請求項５】
前記筒状部材の長さが、前記部品の貫通孔の長さよりも小さい、請求項１、３、４及び５のいずれか一項に記載のスポーツ用品。
【請求項６】
前記部品が、ボルト及びナットの緊結によって圧縮変形されている、請求項１乃至５のいずれか一項に記載のスポーツ用品。
【請求項７】
前記部品が、弾性変形可能であって、１００ＭＰａ〜４００ＭＰａの弾性率を有する、請求項１乃至６のいずれか一項に記載のスポーツ用品。
【手続補正２】
【補正対象書類名】明細書
【補正対象項目名】０００６
【補正方法】変更
【補正の内容】
【０００６】
本発明の第１のスポーツ用品は、合成樹脂製の部品と、前記部品の一部分に形成され且つ前記部品の第１面から第２面に貫通する貫通孔と、前記部品の第１面側に配置され且つ前記貫通孔に連通する穴部を有する第１座金部材と、前記貫通孔内に挿入された筒状部材と、前記部品の第２面側に配置され且つ前記貫通孔に連通する穴部を有する第２座金部材と、前記第１座金部材、筒状部材及び第２座金部材に挿通され且つネジ部が前記第２座金部材から突出されたボルトと、前記ボルトのネジ部に取り付けられたナットと、を有し、前記ナットが、緩み止めナットである。
本発明の第２のスポーツ用品は、合成樹脂製の部品と、前記部品の一部分に形成され且つ前記部品の第１面から第２面に貫通する貫通孔と、前記部品の第１面側に配置され且つ前記貫通孔に連通する穴部を有する第１座金部材と、前記貫通孔内に挿入された筒状部材と、前記部品の第２面側に配置され且つ前記貫通孔に連通する穴部を有する第２座金部材と、前記第１座金部材、筒状部材及び第２座金部材に挿通され且つネジ部が前記第２座金部材から突出されたボルトと、前記ボルトのネジ部に取り付けられたナットと、を有し、前記筒状部材の外径が、前記貫通孔の内径−１ｍｍを超え且つ前記貫通孔の内径未満であり、前記筒状部材の長さが、前記貫通孔の周辺領域の厚み−５ｍｍ以上且つ前記貫通孔の周辺領域の厚み−０．０１ｍｍ以下である。
本発明の第３のスポーツ用品は、合成樹脂製の部品と、前記部品の一部分に形成され且つ前記部品の第１面から第２面に貫通する貫通孔と、前記部品の第１面側に配置され且つ前記貫通孔に連通する穴部を有する第１座金部材と、前記貫通孔内に挿入された筒状部材と、前記部品の第２面側に配置され且つ前記貫通孔に連通する穴部を有する第２座金部材と、前記第１座金部材、筒状部材及び第２座金部材に挿通され且つネジ部が前記第２座金部材から突出されたボルトと、前記ボルトのネジ部に取り付けられたナットと、を有し、前記部品が、バット本体の端部に取り付けられている。
本発明の第４のスポーツ用品は、合成樹脂製の部品と、前記部品の一部分に形成され且つ前記部品の第１面から第２面に貫通する貫通孔と、前記部品の第１面側に配置され且つ前記貫通孔に連通する穴部を有する第１座金部材と、前記貫通孔内に挿入された筒状部材と、前記部品の第２面側に配置され且つ前記貫通孔に連通する穴部を有する第２座金部材と、前記第１座金部材、筒状部材及び第２座金部材に挿通され且つネジ部が前記第２座金部材から突出されたボルトと、前記ボルトのネジ部に取り付けられたナットと、を有し、前記部品が、スポーツ用防具の筺体の形状に形成され、前記ボルト及びナットの緊結によってフェイスマスクが前記部品に取り付けられている。
【手続補正３】
【補正対象書類名】明細書
【補正対象項目名】０００７
【補正方法】変更
【補正の内容】
【０００７】
本発明の好ましいスポーツ用品は、前記筒状部材の長さが、前記部品の貫通孔の長さよりも小さい。
本発明の好ましいスポーツ用品は、前記部品が、ボルト及びナットの緊結によって圧縮変形されている。
本発明の好ましいスポーツ用品は、前記部品が、弾性変形可能であって、１００ＭＰａ〜４００ＭＰａの弾性率を有する。